(57)【要約】【課題】画像形成したシート束を製本した後、裁断するとき、切除されるシートの量を少なくするのに、裁断前の最適なシートのサイズを求めることにある。【解決手段】画像形成製本システム１０００は、１枚のシートに冊子を構成する複数ページ分の画像を形成する感光ドラム１１１と、シートを束状にしてページ同士の間を綴じるステープラ８２９と、シート束のページ同士の間を折り曲げるシート束折り装置８２８と、を備えている。さらに、綴じて折り曲げられたシート束の縁を裁断する裁断部２０００と、複数ページ分の画像が形成されるシートのサイズと、冊子１ページ分の面積と、シート束折り装置８２８による折り曲げ数とに基づいてシートサイズ毎に利用効率を算出するＣＰＵを備えている。【選択図】図１
2007326348.tif 000002
【特許請求の範囲】
【請求項１】
１枚のシートに冊子を構成する複数ページ分の画像を形成する画像形成手段と、
前記シートを束状にして前記ページ同士の間を綴じる綴じ手段と、
前記シート束の前記ページ同士の間を折り曲げる折り曲げ手段と、
綴じて折り曲げられた前記シート束の縁を裁断する裁断手段と、を備えた画像形成製本システムにおいて、
前記複数ページ分の画像が形成される前記シートのサイズと、前記冊子１ページ分の面積と、前記折り曲げ手段による折り曲げ数とに基づいてシートのサイズ毎に利用効率を算出する算出手段を備えた、
ことを特徴とする画像形成製本システム。
【請求項２】
前記算出手段によって算出された利用効率を前記シートサイズ毎に表示する表示手段を備えた、
ことを特徴とする請求項１に記載の画像形成製本システム。
【請求項３】
前記算出手段によって算出された利用効率に基づいたシートの切除量を前記シートサイズ毎に表示する表示手段を備えた、
ことを特徴とする請求項１に記載の画像形成製本システム。
【請求項４】
前記表示手段が、前記シートサイズを選択する選択手段を備えた、
ことを特徴とする請求項２又は３又に記載の画像形成製本システム。
【請求項５】
前記綴じ手段が、前記シート束を針綴じするステープラであり、
複数箇所針綴じされて前記縁を裁断されたシート束の針綴じされた間を、前記シート束の折り曲げ部に対して直交する方向に切断する切断手段を備えた、
ことを特徴とする請求項１乃至４のいずれかに記載の画像形成製本システム。
【請求項６】
１枚のシートに冊子を構成する複数ページ分の画像を形成する画像形成手段と、
前記シートを束状にして前記ページ同士の間を綴じる綴じ手段と、
前記シート束の前記ページ同士の間を折り曲げる折り曲げ手段と、
綴じて折り曲げられた前記シート束の縁を裁断する裁断手段と、を備えた画像形成製本システムにおいて、
前記複数ページ分の画像が形成される前記シートのサイズと、前記冊子１ページ分の面積と、前記折り曲げ手段による折り曲げ数とに基づいて、前記冊子１ページ分の画像を前記シートに割り付ける割り付け手段を備え、
前記画像形成手段が、前記割り付け手段の割り付けにしたがって、シートに画像を形成する、
ことを特徴とする画像形成製本システム。
【発明の詳細な説明】
【技術分野】
【０００１】
本発明は、シートに画像を形成し、そのシートを製本する画像形成製本システムに関する。
【背景技術】
【０００２】
従来、複写機、プリンタ、ファクシミリ、及びこれらの複合機等の画像形成装置からの出力されたシートを束状にした後、そのシート束の１箇所または２箇所を綴じて（ステイプルして）シート束を製本するシート処理装置がある。近年、封筒封入用の小サイズの冊子など、印刷物の後処理形態の多様化が進んでおり、例えば、小サイズの冊子を出力する場合、定形の大きいサイズのシートを裁断する必要がある。大判サイズのシートを小サイズのシートに裁断するペーパカッター装置がある（特許文献１参照）。
【０００３】
【特許文献１】実用新案登録第３０１２２９８号公報
【発明の開示】
【発明が解決しようとする課題】
【０００４】
ところで、定形サイズのシートから小サイズのシートへ裁断するとき、裁断前のサイズと裁断後のサイズとの相違によって、切り捨てられるシートが発生する。しかし、従来のペーパカッター装置は、単にシートを所望のサイズに裁断するだけであって、製本処理に対応してシート束を切除するようになっていない。このため、切除するシートの量を少なくするサイズを求めることができなかった。
【０００５】
したがって、従来のペーパカッター装置は、ユーザが、裁断前のシートのサイズを選定或は設定しなければならず、裁断に時間がかかるという問題があった。
【０００６】
また、シート製本したときシートに形成した画像がページ順になるように、冊子１ページ分の画像をシートに割り付けることができなかった。
【０００７】
本発明は、画像形成したシート束を製本した後、裁断するとき、切除されるシートの量を少なくするのに、裁断前の最適なシートのサイズを求めて、シートを無駄なく使用できる画像形成製本システムを提供することにある。
【０００８】
本発明は、シートに形成した画像が、シートを製本したとき、ページ順になるように、冊子１ページ分の画像をシートに割り付けることのできる画像形成製本システムを提供することにある。
【課題を解決するための手段】
【０００９】
上記目的を達成するため、本発明の画像形成製本システムは、１枚のシートに冊子を構成する複数ページ分の画像を形成する画像形成手段と、前記シートを束状にして前記ページ同士の間を綴じる綴じ手段と、前記シート束の前記ページ同士の間を折り曲げる折り曲げ手段と、綴じて折り曲げられた前記シート束の縁を裁断する裁断手段と、を備え、さらに、前記複数ページ分の画像が形成される前記シートのサイズと、前記冊子１ページ分の面積と、前記折り曲げ手段による折り曲げ数とに基づいてシートのサイズ毎に利用効率を算出する算出手段を備えている。
【００１０】
上記目的を達成するため、本発明の画像形成製本システムは、１枚のシートに冊子を構成する複数ページ分の画像を形成する画像形成手段と、前記シートを束状にして前記ページ同士の間を綴じる綴じ手段と、前記シート束の前記ページ同士の間を折り曲げる折り曲げ手段と、綴じて折り曲げられた前記シート束の縁を裁断する裁断手段と、を備え、さらに、前記複数ページ分の画像が形成される前記シートのサイズと、前記冊子１ページ分の面積と、前記折り曲げ手段による折り曲げ数とに基づいて、前記冊子１ページ分の画像を前記シート割り付ける割り付け手段を備え、前記画像形成手段が、前記割り付け手段の割り付けにしたがって、シートに画像を形成するようになっている。
【発明の効果】
【００１１】
本発明の画像形成製本システムは、シートサイズ毎に利用効率を算出する算出手段を備えているので、利用効率の高いサイズのシートを選択して、シートを無駄なく、有効に使用することができる。
【００１２】
本発明の画像形成製本システムは、冊子１ページ分の画像を前記シート割り付ける割り付け手段を備えているので、シートに形成した画像をページ順に製本することができる。
【発明を実施するための最良の形態】
【００１３】
以下、本発明の画像形成製本システムを図に基づいて説明する。
【００１４】
図１は、本発明の実施形態における画像形成製本システム１０００のシート搬送方向に沿った断面図である。
【００１５】
画像形成製本システム１０００は、画像形成装置１１００、折り装置４００、フィニシャ５００、裁断部２０００で構成されている。画像形成装置１１００は、原稿給送装置１００、イメージリーダ２００、及びプリンタ３００で構成されている。原稿給送装置１００、イメージリーダ２００は、必ずしも必要としない。画像形成装置１１００は、プリンタ３００で外部信号によって画像を形成するようになっていてもよい。
【００１６】
原稿給送装置１００は、セットされた原稿Ｄを先頭ページから順に１枚ずつ、湾曲したパスを介してプラテンガラス１０２上を左から右へ向けて搬送し、その後、排紙トレイ１１２へ排出する。この間、所定の位置に停止しているスキャナユニット１０４が、左から右へ通過する原稿を読み取る。
【００１７】
原稿の通過時、スキャナユニット１０４のランプ１０３の光が原稿に照射され、その原稿からの反射光がミラー１０５，１０６，１０７、レンズ１０８を経てイメージセンサ１０９に導かれる。なお、イメージリーダ２００は、原稿給送装置１００を使用しないで、ユーザが原稿をプラテンガラス１０２上に置いて、スキャナユニット１０４を左から右へ移動させて、原稿を読み取ることもできる。
【００１８】
イメージセンサ１０９により読み取った原稿の画像は画像処理が施されて露光制御部１１０へ送られる。露光制御部１１０は画像信号に応じたレーザ光を出力する。このレーザ光は画像形成手段としての感光ドラム１１１を照射して、感光ドラム１１１上に静電潜像を形成する。感光ドラム１１１上の静電潜像は現像器１１３によりトナー現像されてトナー画像になる。感光ドラム１１１上のトナー画像は、カセット１１４，１１５、手差し給紙部１２５、両面搬送パス１２４のいずれからか給送されたシートに転写部１１６で転写される。
【００１９】
手差し給紙部１２５、カセット１１４，１１５から給送されるシートの種類、例えば、厚紙、ＯＨＰシート等は、操作部１（図２参照）からユーザによって入力される。プリンタ３００は、画像形成回路部１５０（図２参照）によって、これらのシートの種類に応じて最適な搬送条件や、画像形成条件が選択される。
【００２０】
トナー画像が転写されたシートは、定着部１１７でトナー画像を定着される。定着部１１７を通過したシートは、フラッパ１２１により一旦パス１２２に導かれてシートの後端がフラッパ１２１を抜けた後に、フラッパ１２１により排出ローラ１１８へ導かれる。シートは、スイッチバック搬送されたことになり、トナー画像が形成された面を下向きにして（フェイスダウン）、排出ローラ１１８によりプリンタ３００から排出される。
【００２１】
排出ローラ１１８から排出されたシートは、折り装置４００へ送り込まれる。折り曲げ手段としての折り装置４００は、シートをＺ字状の３つ折り、または、２つ折りに折り畳むことができる。Ａ３サイズやＢ４サイズのシートで、かつＺ字状折り処理の指定がなされているとき、また、小サイズへの裁断が指定されかつ４つ折りが必要なとき、折り装置４００は、２つ折りの処理を行う。それ以外のシートは、そのままフィニッシャ５００へ送り込まれる。
【００２２】
フィニシャ５００は、プリンタ３００から折り装置４００を介して排出されたシートを内部に導く入口ローラ対５０２を有している。入口ローラ対５０２の下流には、シートをフィニシャパス５５２、または、第１製本パス５５３に導くための切換フラッパ５５１が設けられている。
【００２３】
第１製本パス５５３からのシートは、第１搬送ローラ対８１３、第２搬送ローラ対８１７によって製本処理トレイ８２０に収納され、さらに、第３搬送ローラ８２２によって、シート先端が可動式のシート位置決め部材８２３に接するまで搬送される。第２搬送ローラ８１７の搬送方向下流には綴じ手段としての２対のステープラ８２９が設けられている。ステープラ８２９は、ステープラ８２９と対向する位置にあるアンビル８３０と協働して、主に、シート束の中央を針で綴じるようになっている。また、ステープラ８２９は、シート搬送方向に対して直交する方向に移動して、裁断する冊子に応じて、ステイプルの箇所を自在に変更できるようになっている。
【００２４】
ステープラ８２９の下流には、折りローラ対８２６が設けられている。折りローラ対８２６は、突き出し部材８２７で押出されたシート束をニップで受け入れて搬送しながら折り畳んで裁断部２０００に給送する。折りローラ対８２６と突き出し部材８２７は折り曲げ手段としてのシート束折り装置８２８を構成している。
【００２５】
裁断手段としての裁断部２０００では、カッター２００１でシート束の後端（上流端）を切除する。これにより、折り装置４００とシート束折り装置８２８とによって４つ折りにされたシート後端の袋状の部分が、後述する手順によって切断されて、ページがめくれるようになる。そして、カッター２００２が、束の両側端、及び束を分割するため搬送方向に平行に切断する。これにより、裁断部２０００が、シート束を指定されたサイズに裁断したことになる。
【００２６】
なお、画像形成製本システム１０００は、中間処理トレイ６３０にシート束を積載し、そのシート束の端をステープラ６０１で綴じて、トレイ７００，７０１に排出することもできるようになっている。
【００２７】
（各制御部の構成）
図２は、画像形成製本システム１０００の制御ブロック図である。画像形成回路部１５０は、ＣＰＵ１５３を有し、ＲＯＭ１５１に格納されているプログラム及び操作部１の設定にしたがって、各制御部を制御するようになっている。その各制御部には、シート給送装置制御部１０１、イメージリーダ制御部２０１、画像信号制御部２０２、画像形成制御部３０１、折り装置制御部４０１、フィニッシャ制御部５０１、及び外部Ｉ／Ｆ２０９がある。
【００２８】
シート給送装置制御部１０１は原稿給送装置１００を、イメージリーダ制御部２０１はイメージリーダ２００を、画像形成制御部３０１はプリンタ３００を、折り装置制御部４０１は折り装置４００を各々制御するようになっている。また、フィニッシャ制御部５０１はフィニッシャ５００を制御するようになっている。フィニッシャ制御部５０１は裁断部制御部２１００も制御するようになっている。裁断部制御部２１００は裁断部２０００を制御するようになっている。
【００２９】
ＲＡＭ１５２は、制御データを一時的に保持する領域や、制御に伴う演算の作業領域として使用される。外部Ｉ／Ｆ２０９は、コンピュータ２１０からのインターフェイスであり、プリントデータを画像に展開して画像信号制御部２０２へ出力する。イメージリーダ制御部２０１から画像信号制御部２０２へはイメージセンサ１０９で読み取られた画像が出力され、画像信号制御部２０２から画像形成制御部３０１へ出力された画像は露光制御部１１０へ入力される。
【００３０】
（小冊子作成フロー）
図３は、小冊子作成動作動作説明用のフローチャートである。図３のフローチャートは、画像形成装置１１００から折り装置４００、フィニッシャ５００に送られてくるたびに行われるフローチャートである。
【００３１】
まず、画像形成回路部１５０が、ユーザによって入力されたシート束を冊子状にするための種々の情報と、利用効率判断フロー（Ｓ２００）における折り数判定（Ｓ３００）のフローチャートとに基づいて、シートの折り回数を算出する。折り装置制御部４０１は、フィニッシャ入口部の入口センサ４０６の入力を待つ（Ｓ１０１）。入口センサ４０６がＯＮになると、折り装置制御部４０１は、画像形成回路部１５０からの信号に基づいて、折り回数を確認する（Ｓ１０２）。
【００３２】
折り数判定処理（Ｓ３００）において、折り回数の判定結果が４つ折りだった場合、折り装置４００がシートを２つ折りし、その２つ折りにしたシートをフィニッシャ５００がさらに２つ折りして、結果的に４つ折りにする必要がある。また、折り回数の判定結果が２つ折りだった場合、折り装置４００が作動しないで、フィニッシャ５００のみが作動してシートを２つ折りにする。
【００３３】
そこで、処理Ｓ１０２において、折り回数の判定結果が４つ折であった場合、画像形成回路部１５０は、折り装置制御部４０１を介して折り装置４００に第１折り処理を実行させて（Ｓ１０３）、シートを図４（ａ）に示すように２つ折りにする。折り装置４００は、シートを折り搬送パス４０２に搬送して、ストッパ４０５に突き当て、ループを形成する。
【００３４】
そして、折り装置４００は、該ループの部分を折りローラ４０４によって折り込み、シートを２つ折りにして、折り搬送パス４０３と共通搬送パスを経由して、フィニッシャ５００へ搬送する。こうして、フィニッシャ５００に搬送されたシートは、製本処理トレイ８２０に積載される。処理Ｓ１０２において、もし、折り回数の判定結果が２つ折であった場合、折り装置制御部４０１は、画像形成回路部１５０の指令に基づいて、折り装置４００を作動させない。この場合、シートは、折り装置４００を素通りして、フィニッシャ５００の製本処理トレイ８２０に積載される。製本処理トレイ８２０に積載されたシートは、束状になって下端をシート位置決め部材８２３に受け止められて、下端を整合される。
【００３５】
次に、フィニッシャ制御部４０１は、製本処理トレイ８２０にシートが積載された後、積載したシートが束の最終シートであるか否かを確認する（Ｓ１０４）。フィニッシャ制御部４０１が最終シートではないと判断した場合、画像形成回路部１５０は、後続のシートに対して、上記と同じ処理をする。フィニッシャ制御部４０１が最終シートであると判断した場合、ステープラ８２９を作動させて、シート位置決め部材８２３に受け止められて束状になっているシートを針で綴じる（Ｓ１０５）。
【００３６】
次に、フィニッシャ制御４０１は、シート位置決め部材８２３を下降させてシート束の綴じた部分を突き出し部材８２７に対向させ、突き出し部材８２７とローラ対８２６とによって、シート束を２つに折る（第２折り処理を実行する）（Ｓ１０６）。この場合、第１折り処理を実行されたシート束は、都合２回折られることになり、図４（ｂ）で示すような後端部に袋ができた状態で４つ折になる。
【００３７】
フィニッシャ制御４０１は、折られたシート束を裁断部２０００に搬送して、裁断部２０００によって裁断処理を実行する（Ｓ１０７）。裁断処理では、図４（ｃ）に示すように、まず、後端の袋をカッター２００１によって切除し、ページをめくれる状態にする。その後、図４（ｄ）に示すように、両側端を冊子サイズに合わせてカッター２００２によって切除する。処理Ｓ２００において、分割判定処理Ｓ４００の判定結果が２分割サイズだった場合、図４（ｅ）に示すように、針綴じされた間の中央部を切断手段としてのカッター２００２によって切断する。切断後、トレイ２００３へ排出し、一連の製本処理を終了する。
【００３８】
（利用効率判断フロー）
図５は、利用効率判断処理の制御順序を示すフローチャートである。利用効率判断フローＳ２００は、ユーザのモード設定後、画像形成回路部１５０で実行される。
【００３９】
まず、画像形成回路部１５０は、シートの折り数の判定を行う（Ｓ３００）。
【００４０】
ユーザが操作部１に給紙サイズの搬送方向長さ（Ｙ）、切り代（Ａ）、背から小口までの距離（Ｍ）の値を入力する。
【００４１】
算出手段としてのＣＰＵ１５３が、
（（Ｙ（給紙サイズの搬送方向長さ）／２）−Ａ（切り代））／Ｍ（背から小口までの距離）
の式に基づいて、折り数の判断数値を算出する。
【００４２】
そして、ＣＰＵ１５３は、１未満だった場合、小冊子が作成不可能サイズと判断する（Ｓ３０２）。１以上４未満だった場合、２つ折りサイズ（折り数２）と判断する（Ｓ３０３）。また、４以上の場合、４つ折りサイズ（折り数４）と判断する（Ｓ３０４）。なお、変数Ｙ、及びＭは、図６参照のこと。
【００４３】
次に、画像形成回路部１５０は、製本後裁断する分割数の判定を行う（Ｓ４００）。
【００４４】
ユーザが操作部１に給紙サイズの搬送方向と直交方向の長さ（Ｘ）、背の長さ（Ｌ）の数値を入力する。
【００４５】
ＣＰＵ１５３が、
（Ｘ（給紙サイズの搬送方向と直交方向の長さ）−Ａ（切り代）×２）／Ｌ（背の長さ）
の式に基づいて、小冊子の分割数の判断数値を算出する。
【００４６】
そして、ＣＰＵ１５３は、１未満だった場合、小冊子が作成不可能サイズと判断する（Ｓ４０２）。１以上２未満だった場合、分割無しサイズ（分割数１）と判断する（Ｓ４０３）。また、２以上の場合、２分割サイズ（分割数２）と判断する（Ｓ４０４）。なお、変数Ｘ、及びＬに関しては図６参照のこと。
【００４７】
なお、Ａ（切り代）は、必要最小限度の仮の数値であって、実際にシート束を切除する量であるとは限らない。すなわち、シートの折り数、分割数が算出されて、後述する図７に示す利用効率が求められたとき、例えば、利用効率が６４％と求められたとき、切り代は３６％ということになる。したがって、実際の切り代は、３６％ということになり、Ａ（切り代）と同一であるとは限らない。
【００４８】
次に、ＣＰＵ１５３が、小サイズ冊子の面積（利用面積）を、
（Ｌ×Ｍ×分割数×折り数）
の式に基づいて算出する（Ｓ５００）。
【００４９】
さらに、ＣＰＵ１５３は、利用効率を（利用面積／定形サイズ面積）の式に基づいて算出する（Ｓ６００）。
【００５０】
以上、説明した処理を各定形サイズ、または給紙カセットにあるサイズに対して行い、どの定型サイズごとの利用効率を判断する。
【００５１】
（利用効率の表示）
画像形成回路部１５０は、利用効率判断フローで算出した結果を表示手段としての操作部１（図２参照）に図７で示すように利用効率順に表示する。図７では、給紙カセットにあるシートだけを表示しているが、全定型サイズ、または、指定した定型サイズの利用効率を表示するようにしても良い。
【００５２】
また、図７では、利用率を表示しているが、切り捨てるごみの量（切除量）の割合、または、ごみ面積を表示するようにしても良い。その場合、ごみ面積＝１００％−利用効率（％）となる。例えば、利用効率６４％の場合、ごみ面積は、５６％になる。この場合、画像形成回路部１５０が、利用効率が最大のシートを選択し、そのシートが収納されているカセット１１４，１１５から最大利用効率のシートを自動的に送り出すようにしてもよい。
【００５３】
給紙サイズの選択は、選択したい給紙サイズの右横にある「選択」ボタン１Ａ乃至１Ｅを押すことによって選択することができる。また、「自動設定」ボタン１Ｆを押すことで、最適な給紙サイズを自動的に選択することができる。
【００５４】
指定した給紙サイズをもとに最適な小冊子サイズを表示する場合
ＣＰＵ１５３は、背の長さ（Ｌ）を、
（Ｘ（給紙サイズの搬送方向と直交方向の長さ）−２×Ａ（最低切り代））／分割数
の式で求める。
【００５５】
また、ＣＰＵ１５３は、背から小口までの距離（Ｍ）を、
（Ｙ（給紙サイズの搬送方向長さ）−折り数×Ａ）／折り数
の式で求める。
【００５６】
上記計算を、４つ条件（（１）折り数２、分割数１、（２）折り数２、分割数２、（３）折り数４、分割数１、（４）折り数４、分割数２）で行い、小冊子の最適サイズを判断し、図８に示すよう各条件での最適サイズと利用効率を表示する。
【００５７】
なお、冊子サイズの選択は、選択したいサイズの右横にある「選択」ボタン１Ｈ乃至１Ｍを押すことによって選択することができる。給紙サイズは、ユーザが図８右上の「給紙サイズ」ボタン１Ｇによって入力する。また、切り代も図８の下部の「切り代」ボタン１Ｎによって入力することで任意に設定することができる。
【００５８】
（画像方向、ページ割り振り）
製本トレイでのみで折る２つ折り（折り数２）の場合と、製本トレイと折り装置で折る４つ折り（折り数４）の場合や、見開き方向によって、画像方向、ページ割り振りを変える必要がある。見開き方向には、右開き（背を右に置いてめくる場合）、左開き（背を左に置いてめくる場合）、上開き（背を上に置いてめくる場合）とがある。
【００５９】
分割する場合、搬送方向と直交する方向に同じ画像を並べればよい。なお、以下の説明において、折り数は、図５に示す利用効率判断フロー（Ｓ２００）で求めるか、あるいは操作部１にユーザが入力してもよい。見開き方向は、ユーザによって操作部１に入力される。
【００６０】
（２つ折り、左開き、上開き）
まず、２つ折り（折り数２）するときの画像方向について図９を用いて説明する。
【００６１】
図９（ａ）は、右開き、左開きときの画像方向を示す上視図である。図中の矢印は、画像形成時の搬送方向を示す。また、図中の裏面、表面は、フィニッシャ５００に排出するときの表裏の状態を示している。また、符号Ａ、Ｂ、Ｃ、Ｄは画像の位置を示している。画像形成順序は、最初に裏面に画像を形成し、反転後、表面に画像を形成する。
【００６２】
図９（ｂ）は上開きの画像方向を示す上視図である。上開き時は画像方向を左９０度回転させる。
【００６３】
図９（ｃ）はフィニッシャ内で搬送するときの画像の位置を表す断面図である。図示の通り、先端側の画像は符号ＡとＤで示す位置に形成されている。
【００６４】
次に、２つ折り（折り数２）するときの左開き、上開き時のページ割り振りについて図１０を用いて説明する。
【００６５】
図１０（ａ）は製本処理トレイ８２０に積載されるときの画像位置を示す断面図である。図示の通り、ストッパ側の画像は符号ＡとＤで示す位置に形成されていることになる。
【００６６】
ＣＰＵ１５３は、最初に画像形成する枚数（Ｍ）を求める。画像形成する枚数は、原稿枚数／４の端数切り上げ値とする。Ｍ＝ｒｏｕｎｄｕｐ（原稿枚数／４）。
【００６７】
次に、画像形成回路部１５０が、４面（Ａ，Ｂ，Ｃ，Ｄ）の画像が形成されたシートの各画像位置に何ページ目を割り当てるか、画像形成するシートごとに割り振りを行う。画像位置ごと印刷ページは式１ないし式４で求められる。但し、演算式で求めた値が原稿枚数を超えた場合は、その画像位置に画像形成を行わない。
【００６８】
Ｎ：本体から排出される順序（１枚目、２枚目、・・・Ｎ枚目）
Ｍ：画像形成する枚数
画像位置Ａ：２×（Ｍ＋Ｎ）        ・・・・・式１
画像位置Ｂ：２×（Ｍ−Ｎ）＋１    ・・・・・式２
画像位置Ｃ：２×（Ｍ−Ｎ）＋２    ・・・・・式３
画像位置Ｄ：２×（Ｍ＋Ｎ）−１    ・・・・・式４
【００６９】
例えば、原稿枚数が９枚の場合、９÷４の端数切り上げは３であるため、画像形成枚数は３枚になる。ページ割り振りは図１０（ｂ）に示すように、１枚目の画像位置Ａの画像は８ページ目になり、画像位置Ｂの画像は５ページ目になり、画像位置Ｃの画像は６ページ目になり、画像位置Ｄの画像は７ページ目になる。２枚目、３枚目も同様に図示した通りになる。
【００７０】
（２つ折り、右開き）
次に、２つ折り（折り数２）するときの右開き時のページ割り振りについて図１０を用いて説明する。
【００７１】
図１０（ａ）は製本トレイに積載されるときの画像位置を示す断面図である。図示の通り、ストッパ側の画像はＡとＤとなる。
【００７２】
ＣＰＵ１５３は、最初に画像形成する枚数（Ｍ）を求める。画像形成する枚数は、原稿枚数／４の端数切り上げ値とする。Ｍ＝ｒｏｕｎｄｕｐ（原稿枚数／４）。
【００７３】
次に、画像形成回路部１５０が、４面（Ａ，Ｂ，Ｃ，Ｄ）の画像が形成されたシートの各画像位置に何ページ目を割り当てるか、画像形成するシートごとに割り振りを行う。
【００７４】
画像位置ごと印刷ページは式５乃至式８で求められる。但し、演算式で求めた値が原稿枚数を超えた場合は、その画像位置に画像形成を行わない。
【００７５】
Ｎ：本体から排出される順序（１枚目、２枚目、・・・Ｎ枚目）
Ｍ：画像形成する枚数
画像位置Ａ：２×（Ｍ−Ｎ）＋１    ・・・・・式５
画像位置Ｂ：２×（Ｍ＋Ｎ）        ・・・・・式６
画像位置Ｃ：２×（Ｍ＋Ｎ）−１    ・・・・・式７
画像位置Ｄ：２×（Ｍ−Ｎ）＋２    ・・・・・式８
【００７６】
例えば、原稿枚数が９枚の場合、９÷４の端数切り上げは３であるため、画像形成枚数は３枚になる。ページ割り振りは図１０（ｃ）に示すように、１枚目の画像位置Ａの画像は５ページ目になり、画像位置Ｂの画像は８ページ目になり、画像位置Ｃの画像は７ページ目になり、画像位置Ｄの画像は６ページ目になる。２枚目、３枚目も同様に図示した通りになる。
【００７７】
（４つ折り、左開き、上開き）
次に、４つ折り（折り数４）するときの画像方向について図１１を用いて説明する。
【００７８】
図１１（ａ）は、右開き、左開き時の画像方向を示す上視図である。図中の矢印は、画像形成時の搬送方向を示している。また、図中の裏面、表面は、フィニッシャに排出するときの表裏の状態を示している。また、Ａ、Ｂ、Ｃ、Ｄ、Ｅ、Ｆ、Ｇ、Ｈは画像の位置を示す。画像形成順序は、最初に裏面に画像を形成し、反転後、表面に画像を形成する。
【００７９】
図１１（ｂ）は上開きの画像方向を示す上視図である。上開き時は画像方向を左９０度回転させる。
【００８０】
図１１（ｃ）はシート束折り装置８２８に入る前の搬送時の画像位置を表す断面図である。図示の通り、先端側の画像はＡとＨになる。また、図１１（ｄ）は折り処理部で２つ折りにされた後の搬送時の画像位置を表す断面図である。図示の通り、折り目側が先端側となる。
【００８１】
次に、４つ折り（折り数４）時の左開き、上開き時のページ割り振りについて図１２を用いて説明する。
【００８２】
図１２（ａ）は製本トレイに積載される時の画像位置を示す断面図である。図示の通り、ストッパ側に折り目がくるように積載する。
【００８３】
ＣＰＵ１５３は、最初に画像形成する枚数（Ｍ）を求める。画像形成する枚数は、原稿枚数／８の端数切り上げ値とする。Ｍ＝ｒｏｕｎｄｕｐ（原稿枚数／８）。
【００８４】
次に、画像形成回路部１５０が、８面（Ａ，Ｂ，Ｃ，Ｄ，Ｅ，Ｆ，Ｇ，Ｈ）の画像が形成されたシートの各画像位置に何ページ目を割り当てるか、画像形成するシートごとに割り振りを行う。
【００８５】
画像位置ごと印刷ページは式９乃至式１６で求められる。但し、演算式で求めた値が原稿枚数を超えた場合は、その画像位置に画像形成を行わない。
【００８６】
Ｎ：本体から排出される順序（１枚目、２枚目、・・・Ｎ枚目）
Ｍ：画像形成する枚数
画像位置Ａ：４×（Ｍ−Ｎ）＋２    ・・・・・式９
画像位置Ｂ：４×（Ｍ＋Ｎ）−１    ・・・・・式１０
画像位置Ｃ：４×（Ｍ＋Ｎ）−２    ・・・・・式１１
画像位置Ｄ：４×（Ｍ−Ｎ）＋３    ・・・・・式１２
画像位置Ｅ：４×（Ｍ−Ｎ）＋４    ・・・・・式１３
画像位置Ｆ：４×（Ｍ＋Ｎ）−３    ・・・・・式１４
画像位置Ｇ：４×（Ｍ＋Ｎ）        ・・・・・式１５
画像位置Ｈ：４×（Ｍ−Ｎ）＋１    ・・・・・式１６
【００８７】
例えば、原稿枚数が１５枚の場合、１５÷８の端数切り上げは２であるため、画像形成枚数は２枚になる。ページ割り振りは図１２（ｂ）に示すように、１枚目の画像位置Ａの画像は６ページ目になり、画像位置Ｂの画像は１１ページ目になり、画像位置Ｃの画像は１０ページ目になり、画像位置Ｄの画像は７ページ目になる。また、画像位置Ｅの画像は８ページ目になり、画像位置Ｆの画像は９ページ目になり、画像位置Ｇの画像は１２ページ目になり、画像位置Ｈの画像は５ページ目になる。２枚目も同様に図示した通りになる。
【００８８】
（４つ折り、右開き）
次に、４つ折り（折り数４）時の右開き時のページ割り振りについて図１２を用いて説明する。
【００８９】
図１２（ａ）は製本トレイに積載される時の画像位置を示す断面図である。図示の通り、ストッパ側に折り目がくるように積載する。
【００９０】
ＣＰＵ１５３は、最初に画像形成する枚数（Ｍ）を求める。画像形成する枚数は、原稿枚数／８の端数切り上げ値とする。Ｍ＝ｒｏｕｎｄｕｐ（原稿枚数／８）。
【００９１】
次に、画像形成回路部１５０が、８面（Ａ，Ｂ，Ｃ，Ｄ，Ｅ，Ｆ，Ｇ，Ｈ）の画像が形成されたシートの各画像位置に何ページ目を割り当てるか、画像形成するシートごとに割り振りを行う。
【００９２】
画像位置ごと印刷ページは式１７乃至式２４で求められる。但し、演算式で求めた値が原稿枚数を超えた場合は、その画像位置に画像形成を行わない。
【００９３】
Ｎ：本体から排出される順序（１枚目、２枚目、・・・Ｎ枚目）
Ｍ：画像形成する枚数
画像位置Ａ：４×（Ｍ＋Ｎ）−１    ・・・・・式１７
画像位置Ｂ：４×（Ｍ−Ｎ）＋２    ・・・・・式１８
画像位置Ｃ：４×（Ｍ−Ｎ）＋３    ・・・・・式１９
画像位置Ｄ：４×（Ｍ＋Ｎ）−２    ・・・・・式２０
画像位置Ｅ：４×（Ｍ＋Ｎ）−３    ・・・・・式２１
画像位置Ｆ：４×（Ｍ−Ｎ）＋４    ・・・・・式２２
画像位置Ｇ：４×（Ｍ−Ｎ）＋１    ・・・・・式２３
画像位置Ｈ：４×（Ｍ＋Ｎ）        ・・・・・式２４
【００９４】
例えば、原稿枚数が１５枚の場合、１５÷８の端数切り上げは２であるため、画像形成枚数は２枚になる。ページ割り振りは図１２（ｃ）に示すように、１枚目の画像位置Ａの画像は１１ページ目になり、画像位置Ｂの画像は６ページ目になり、画像位置Ｃの画像は７ページ目になり、画像位置Ｄの画像は１０ページ目になる。また、画像位置Ｅの画像は９ページ目になり、画像位置Ｆの画像は８ページ目になり、画像位置Ｇの画像は５ページ目になり、画像位置Ｈの画像は１２ページ目になる。２枚目も同様に図示した通りになる。
【図面の簡単な説明】
【００９５】
【図１】本発明の実施形態における画像形成製本システムのシート搬送方向に沿った断面図である。
【図２】本発明の実施形態における画像形成製本システムの制御ブロック図である。
【図３】小冊子作成動作説明用のフローチャートである。
【図４】小冊子作成順序説明用の図である。
【図５】利用効率判断処理の制御順序を示すフローチャートである。
【図６】演算式の変数説明用の図である。
【図７】表示部に表示される給紙サイズの表示図である。
【図８】表示部に表示される小冊子サイズの表示図である。
【図９】２つ折り時の画像形成方向及び画像位置を示す図である。
【図１０】２つ折り時のページ割り振り説明用の図である。
【図１１】４つ折り時の画像形成方向及び画像位置を示す図である。
【図１２】４つ折り時のページ割り振り説明用の図である。
【符号の説明】
【００９６】
１      操作部（表示手段）
１Ａ乃至１Ｅ      「選択」ボタン（選択手段）
１Ｆ      「自動設定」ボタン
１Ｈ乃至１Ｍ      「選択」ボタン
１００      原稿給送装置
１１１      感光ドラム（画像形成手段）
１５０      画像形成回路部（割り付け手段）
１５３      ＣＰＵ（算出手段）
２００      イメージリーダ
２０１      イメージリーダ制御部
２０２      画像信号制御部
２０９      外部Ｉ／Ｆ
２１０      コンピュータ
３００      プリンタ
３０１      画像形成制御部
４００      折り装置（折り曲げ手段）
４０１      折り装置制御部
５００      フィニシャ
５０１      フィニッシャ制御部
８２０      製本処理トレイ
８２３      シート位置決め部材
８２８      シート束折り装置（折り曲げ手段）
８２９      ステープラ（綴じ手段）
１０００    画像形成製本システム
１１００    画像形成装置
２０００    裁断部（裁断手段）
２００１    カッター
２００２    カッター（切断手段）
２００３    トレイ
２１００    裁断部制御部
【図１】
2007326348.tif 000003
【図２】
2007326348.tif 000004
【図３】
2007326348.tif 000005
【図４】
2007326348.tif 000006
【図５】
2007326348.tif 000007
【図６】
2007326348.tif 000008
【図７】
2007326348.tif 000009
【図８】
2007326348.tif 000010
【図９】
2007326348.tif 000011
【図１０】
2007326348.tif 000012
【図１１】
2007326348.tif 000013
【図１２】
2007326348.tif 000014